(57)【要約】【課題】エレクションピースの切断状況を容易に確認できる火気養生治具を提供すること。【解決手段】火気養生治具１０は、柱面４０Ａ、４１Ａに略垂直に設けられたエレクションピース４２を切断する際に用いられる火気養生治具であって、一面が開放された開放面Ｓである箱状の治具本体２０と、この治具本体２０をエレクションピース４２または柱面４０Ａ、４１Ａに仮固定する仮固定部３０と、を備える。治具本体２０が仮固定された状態では、この治具本体２０は、エレクションピース４２の一方の面４２Ａ側に配置されて、治具本体２０の開放面Ｓは、エレクションピース４２と柱面４０Ａ、４１Ａとの接合部を覆う。【選択図】図１
2014091966.tif 000002
【特許請求の範囲】
【請求項１】
柱面に略垂直に設けられたエレクションピースを切断する際に用いられる火気養生治具であって、
一面が開放された開放面である箱状の治具本体と、当該治具本体を前記エレクションピースまたは前記柱面に仮固定する仮固定部と、を備え、
前記治具本体が仮固定された状態では、当該治具本体は、前記エレクションピースの一方の面側に配置されて、当該治具本体の開放面は、当該エレクションピースと前記柱面との接合部を覆うことを特徴とする火気養生治具。
【発明の詳細な説明】
【技術分野】
【０００１】
本発明は、火気養生治具に関する。詳しくは、柱面に略垂直に設けられたエレクションピースを切断する際に用いられる火気養生治具に関する。
【背景技術】
【０００２】
従来より、鉄骨柱や鉄骨梁を接合して、鉄骨構造を構築することが行われている。ここで、例えば鋼管からなる上下の鉄骨柱同士を溶接接合する場合、以下の手順で施工する。
すなわち、予め鉄骨工場にて、各鉄骨柱の接合部にエレクションピースを溶接しておく。
【０００３】
次に、これら鉄骨柱を鉄骨梁とともに現場に運搬し、現場にて鉄骨建方を行う。このとき、上下の鉄骨柱同士の相対位置を決定し、下側の鉄骨柱のエレクションピースと上側の鉄骨柱のエレクションピースとを接合プレートを介して仮固定する。
次に、鉄骨柱の外周接合部に沿って溶接を行い、この溶接作業が完了した後、エレクションピースをガス切断する。
【０００４】
ところで、エレクションピースをガス切断する際、溶断火花や溶融金属が飛散して火災の原因となるおそれがある。そこで、この問題を解決するため、例えば、火花・溶融金属飛散防止治具が提案されている（特許文献１の図３、図４参照）。
この火花・溶融金属飛散防止治具は、柱面に略垂直に当接する側壁と、この側壁に設けられて柱面に対向する天壁と、側壁に取り付けられたマグネットと、を備える。
【０００５】
この火花・溶融金属飛散防止治具をマグネットで柱面に取り付けると、エレクションピースのほぼ全体が火花・溶融金属飛散防止治具に覆われて、火花・溶融金属飛散防止治具が囲む空間の一面のみが開放された状態となる。そこで、この開放された面からガス切断用トーチを差し込んで、エレクションピースをガス切断することにより、溶断火花や溶融金属が飛散防止治具内に収容される。よって、溶断火花や溶融金属が飛散するのを防止できる。
【先行技術文献】
【特許文献】
【０００６】
【特許文献１】特開平５−１９２７６９号公報
【発明の概要】
【発明が解決しようとする課題】
【０００７】
しかしながら、以上の火花・溶融金属飛散防止治具では、火花・溶融金属飛散防止治具がエレクションピースのほぼ全体を覆っており、開放された一面のみを通してエレクションピースを視認するので、切断状況を確認しにくい、という問題があった。
【０００８】
本発明は、エレクションピースの切断状況を容易に確認できる火気養生治具を提供することを目的とする。
【課題を解決するための手段】
【０００９】
請求項１に記載の火気養生治具（例えば、後述の火気養生治具１０）は、柱面（例えば、後述の柱面４０Ａ、４１Ａ）に略垂直に設けられたエレクションピース（例えば、後述のエレクションピース４２）を切断する際に用いられる火気養生治具であって、一面が開放された開放面（例えば、後述の開放面Ｓ）である箱状の治具本体（例えば、後述の治具本体２０）と、当該治具本体を前記エレクションピースまたは前記柱面に仮固定する仮固定部（例えば、後述の仮固定部３０）と、を備え、前記治具本体が仮固定された状態では、当該治具本体は、前記エレクションピースの一方の面（例えば、後述の一方の面４２Ａ）側に配置されて、当該治具本体の開放面は、当該エレクションピースと前記柱面との接合部（例えば、後述の切断部Ｌ）を覆うことを特徴とする。
【００１０】
この発明によれば、治具本体が仮固定された状態では、治具本体は、エレクションピースの一方の面側に配置されて、治具本体の開放面は、エレクションピースと柱面との接合部を覆っている。よって、エレクションピースの他方の面側にガス切断用トーチを配置して、エレクションピースと柱面との接合部に沿ってガス切断する。すると、ガス切断による溶断火花や溶融金属は、エレクションピースの一方の面側に抜けて、開放面を通って火気養生治具の治具本体に収容される。
よって、従来のように火気養生治具でエレクションピースのほぼ全体を覆うのではなく、治具本体でエレクションピースと柱面との接合部のみを覆うので、エレクションピースを多方向から視認でき、エレクションピースの切断状況を容易に確認できる。
また、火気養生治具を従来に比べて小型化できるので、運搬や取付けなどの取り扱いが容易となる。
また、火気養生治具の治具本体に、ガス切断による溶断火花や溶融金属が収容されるので、切断作業後の足場や柱の清掃が簡単となる。
【発明の効果】
【００１１】
本発明によれば、治具本体が仮固定された状態では、治具本体は、エレクションピースの一方の面側に配置されて、治具本体の開放面は、エレクションピースと柱面との接合部を覆っている。よって、エレクションピースの他方の面側にガス切断用トーチを配置して、エレクションピースと柱面との接合部に沿ってガス切断する。すると、ガス切断による溶断火花や溶融金属は、エレクションピースの一方の面側に抜けて、開放面を通って火気養生治具の治具本体に収容される。よって、従来のように火気養生治具でエレクションピースのほぼ全体を覆うのではなく、治具本体でエレクションピースと柱面との接合部のみを覆うので、エレクションピースを多方向から視認でき、エレクションピースの切断状況を容易に確認できる。また、火気養生治具を従来に比べて小型化できるので、運搬や取付けなどの取り扱いが容易となる。また、火気養生治具の治具本体に、ガス切断による溶断火花や溶融金属が収容されるので、切断作業後の足場や柱の清掃が簡単となる。
【図面の簡単な説明】
【００１２】
【図１】本発明の一実施形態に係る火気養生治具の斜視図である。
【図２】前記実施形態に係る火気養生治具をエレクションピースに仮固定した状態を示す斜視図である。
【図３】前記実施形態に係る火気養生治具を仮固定したエレクションピースをガス切断する手順を説明するための斜視図である。
【発明を実施するための形態】
【００１３】
以下、本発明の一実施形態について、図面を参照しながら説明する。
図１は、本発明の一実施形態に係る火気養生治具１０の斜視図である。
火気養生治具１０は、エレクションピース４２（図２参照）を切断するためのものである。
この火気養生治具１０は、一面が開放された開放面Ｓである箱状の治具本体２０と、この治具本体２０をエレクションピース４２に仮固定する仮固定部３０と、を備える。
【００１４】
治具本体２０は、矩形状の底部２１と、この底部２１の三辺に沿って立設された側壁部２２Ａ、２２Ｂ、２２Ｃと、底部２１に対向配置され側壁部２２の上端に接続された天蓋部２３と、を備える。このうち側壁部２２Ａと側壁部２２Ｃとは、対向配置されており、側壁部２２Ｂは、開放面Ｓに対向している。
【００１５】
側壁部２２には、火気養生治具１０を運搬するための略コの字形状の把持部２４が取り付けられている。
仮固定部３０は、側壁部２２Ａの上下に取り付けられた板状の一対の係止片３１と、底部２１および天蓋部２３の互いに対向する面に設けられた一対の突出片３２と、を備える。
【００１６】
以上の火気養生治具１０は、以下の手順で使用される。
図２に示すように、断面矩形枠状の下側の鉄骨柱４０の上には、断面矩形枠状の上側の鉄骨柱４１が配置されており、これら鉄骨柱４０、４１同士は、接合部Ｃで接合されている。
【００１７】
各鉄骨柱４０、４１の各側面の柱面４０Ａ、４１Ａには、接合部Ｃを挟んで上下のエレクションピース４２が溶接固定されている。
これらエレクションピース４２は、板状であり、鉄骨柱４０、４１の柱面４０Ａ、４１Ａに略垂直に設けられている。また、各エレクションピース４２には、それぞれ、図示しない接合プレートをボルト接合するための貫通孔４３が形成されている。
【００１８】
図２に示す状態では、鉄骨柱４０、４１同士の接合部Ｃに沿って溶接が完了して、接合プレートを取り外した状態であるとする。この状態から、図２中左側の上下のエレクションピース４２を、これらエレクションピース４２と柱面４０Ａ、４１Ａとの接合部である切断部Ｌ（図２中破線で示す）に沿ってガス切断するものとする。
【００１９】
まず、火気養生治具１０の一対の係止片３１を上下のエレクションピース４２の貫通孔４３に嵌合するとともに、一対の突出片３２でエレクションピース４２を上下から挟み込む。これにより、係止片３１および突出片３２は、火気養生治具１０の上下のエレクションピース４２に対する相対位置を保持するスペーサとして機能しつつ、この火気養生治具１０を上下のエレクションピース４２に仮固定する。
【００２０】
火気養生治具１０が仮固定された状態では、治具本体２０は、エレクションピース４２の一方の面４２Ａ側（ここでは、図２中左奥側）に配置されて、治具本体２０の開放面Ｓは切断部Ｌを覆うとともに、上下のエレクションピース４２に当接しておらず、僅かに離れている。
【００２１】
次に、図３に示すように、エレクションピース４２の他方の面４２Ｂ側（ここでは、図２中右手前側）にガス切断用トーチ４４を配置し、切断部Ｌに沿って、ガス切断する。すると、ガス切断による溶断火花や溶融金属は、エレクションピース４２の一方の面４２Ａ側に抜けて、火気養生治具１０の治具本体２０に収容される。
【００２２】
本実施形態によれば、以下のような効果がある。
（１）従来のように火気養生治具でエレクションピースのほぼ全体を覆うのではなく、治具本体２０で切断部Ｌのみを覆うので、エレクションピース４２を多方向から視認でき、エレクションピース４２の切断状況を容易に確認できる。
また、火気養生治具１０を従来に比べて小型化できるので、運搬や取付けなどの取り扱いが容易となる。
また、火気養生治具１０の治具本体２０に、ガス切断による溶断火花や溶融金属が収容されるので、切断作業後の足場や柱の清掃が簡単となる。
【００２３】
（２）火気養生治具１０の治具本体２０をエレクションピース４２から僅かに離したので、ガス切断時に炎がエレクションピース４２を貫通しているのを視認でき、ガス切断作業の安全性を向上できるうえに、治具本体２０をエレクションピース４２とともに切断してしまうのを防止できる。
【００２４】
なお、本発明は前記実施形態に限定されるものではなく、本発明の目的を達成できる範囲での変形、改良等は本発明に含まれるものである。
【符号の説明】
【００２５】
Ｃ…接合部
Ｌ…切断部
Ｓ…開放面
１０…火気養生治具
２０…治具本体
２１…底部
２２、２２Ａ、２２Ｂ、２２Ｃ…側壁部
２３…天蓋部
２４…把持部
３０…仮固定部
３１…係止片
３２…突出片
４０、４１…鉄骨柱
４０Ａ、４１Ａ…柱面
４２…エレクションピース
４２Ａ…エレクションピースの一方の面
４２Ｂ…エレクションピースの他方の面
４３…貫通孔
４４…ガス切断用トーチ
【図１】
2014091966.tif 000003
【図２】
2014091966.tif 000004
【図３】
2014091966.tif 000005